(57)【要約】      （修正有）【課題】居住空間の広さや形状に関わらず、複数種類の居住空間に対して使用することのできる間仕切り構造を提供する。【解決手段】居住空間の間取りを変更可能な間仕切り構造であって、移動自在で複数枚かつ同一寸法の間仕切りパネル４を備え、間仕切りパネルを互いに着脱可能に接続する凹凸嵌合接続手段５とマグネット接続手段６が設けられる。間取りの仕切り位置に間仕切りレール３が設けられ、間仕切りパネルが、間仕切りレールにスライド自在に支持されると共に、フランス落としによって固定される。また、ドアキャッチを有するドア用パネル２４が設けられ、ドア用パネルをスライド自在に支持する間仕切りレールが設けられる。【選択図】図１
0003203939.tif 000002
【実用新案登録請求の範囲】
【請求項１】
居住空間の間取りを変更可能な間仕切り構造であって、移動自在で複数枚かつ同一寸法の間仕切りパネルを備え、該間仕切りパネルを互いに着脱可能に接続する接続手段が設けられたことを特徴とする間仕切り構造。
【請求項２】
居住空間の選択可能な間取りの仕切り位置に間仕切りレールが設けられ、間仕切りパネルが、前記間仕切りレールにスライド自在に支持されると共に、フランス落としによって固定されることを特徴とする請求項１に記載の間仕切り構造。
【請求項３】
ドアキャッチを有するドア用パネルが設けられ、該ドア用パネルをスライド自在に支持する間仕切りレールが設けられたことを特徴とする請求項１又は２に記載の間仕切り構造。
【請求項４】
前記接続手段は、間仕切りパネルの両端に形成された互いに嵌合可能な凸形状及び凹形状とされたことを特徴とする請求項１、２又は３に記載の間仕切り構造。
【請求項５】
前記間仕切りパネルの両端に凹形状が形成され、該凹形状に付加部材を嵌合することにより、間仕切りパネルの端面に凸形状又は面一形状が形成されたことを特徴とする請求項１〜４のいずれかに記載の間仕切り構造。
【請求項６】
前記接続手段は、間仕切りパネルの端面に設けられた磁性体と、間仕切りパネルの板面に設けられたマグネットとで構成されたことを特徴とする請求項１〜５のいずれかに記載の間仕切り構造。
【考案の詳細な説明】
【技術分野】
【０００１】
本考案は、居住空間の間取りを変更可能な間仕切り構造に関するものである。
【背景技術】
【０００２】
一般に、集合住宅において、ある程度の広さを持つ居住空間は、間仕切り壁などによって複数の室に仕切られ、想定した入居者の家族構成などに対応する間取りを構成している。この居住空間の間取りは、通常は不変のものであり、入居者の家族構成が変わる場合などには、入居者が引越しを余儀なくされることがある。
【０００３】
これに対し、例えば特許文献１は、折り曲げて自立させることのできる可変間仕切り壁（Ｂ）や、本棚と飾り棚等で構成される可変間仕切り家具システム（Ｓ）、キャスター付きの可変間仕切収納装置（Ｃ）で間仕切りを構成し、この間仕切りの位置を変更することにより、内装空間を変更可能とする技術を開示している。
【先行技術文献】
【特許文献】
【０００４】
【特許文献１】特開２００１−３３６２９３（段落番号００１５、００１７、００１８）
【考案の概要】
【考案が解決しようとする課題】
【０００５】
しかし、特許文献１の間仕切りは、居住空間の広さや形状に応じた長さの折曲可能な間仕切り壁や、居住空間の広さや形状に応じて装備される家具や切収納装置によって間仕切りを構成するものであり、居住空間の広さや形状ごとに別の間仕切りを準備する必要がある。
【０００６】
本考案は、居住空間の広さや形状に関わらず、複数種類の居住空間に対して使用することのできる間仕切り構造の提供を目的とする。
【課題を解決するための手段】
【０００７】
上記目的を達成するために、本考案に係る間仕切り構造は、居住空間の間取りを変更可能なものであり、移動自在で複数枚かつ同一寸法の間仕切りパネルを備え、この間仕切りパネルを互いに着脱可能に接続する接続手段を設けたものである。
【０００８】
この構成によると、間仕切りパネルを互いに接続する接続手段を設けるので、居住空間内で複数枚の間仕切りパネルを接続して所望の間仕切りを構成することができ、その間仕切りパネルの工場生産を可能とすると共に、居住空間の広さや形状に関わらず、複数種類の居住空間に対して共通の間仕切りパネルを用いることができる。
【０００９】
また、居住空間の選択可能な間取りの仕切り位置に間仕切りレールを設け、間仕切りパネルを、間仕切りレールでスライド自在に支持すると共に、フランス落としによって固定するようにしてもよい。
【００１０】
この構成によると、選択可能な間取りの仕切り位置に間仕切りレールを設けるので、間仕切りの位置設定を容易に設定すると共に、間仕切りパネルの設置を容易にすることができる。しかも、間仕切りレールで支持した間仕切りパネルをフランス落としによって固定するので、間仕切りパネルを互いに強固に接続することなく、その移動を阻止することができる。
【００１１】
また、ドアキャッチを有するドア用パネルを設け、このドア用パネルをスライド自在に支持する間仕切りレールを設けるようにしてもよい。
【００１２】
この構成によると、間仕切りレールでドア用パネルをスライド自在に支持するので、間仕切りにドア用パネルを設けて、このドア用パネルで間仕切りのスライドドアを構成することができる。
【００１３】
また、接続手段を、間仕切りパネルの両端に形成した互いに嵌合可能な凸形状及び凹形状としてもよい。
【００１４】
この構成によると、間仕切りパネルの端部に凸形状及び凹形状を形成するので、その凸形状及び凹形状を嵌合させて、隣接する間仕切りパネルの端部同士を隙間なく接合することができ、間仕切りパネルの接合部からの光の漏れを防止して、プライバシーの確保に寄与することができる。
【００１５】
また、間仕切りパネルの両端に凹形状を形成し、この凹形状に付加部材を嵌合することにより、間仕切りパネルの端面に凸形状又は面一形状を形成するようにしてもよい。
【００１６】
この構成によると、間仕切りパネルの両端に凹形状を形成するので、適宜その凹形状に付加部材を嵌合して、間仕切りパネルの端面を凹形状、凸形状又は面一形状に設定することができる。これにより、隣接する間仕切りパネルの端部を凸形状及び凹形状にして嵌合接続したり、面一形状にした間仕切りパネルの端部を他の間仕切りパネルの板面に突き当ててＴ接続や十字接続、Ｌ接続をしたりすることができる。
【００１７】
また、接続手段を、間仕切りパネルの端面に設けた磁性体と、間仕切りパネルの板面に設けたマグネットとで構成するようにしてもよい。
【００１８】
この構成によると、間仕切りパネルの板面にマグネットを設けるので、間仕切りパネルの端部の磁性体を他の間仕切りパネルの板面のマグネット部分に吸着させることができ、間仕切りパネルのＴ接続又はＬ接続を容易にすることができる。
【考案の効果】
【００１９】
以上のとおり、本考案によると、例えば、工場生産した複数の間仕切りパネルを居住空間内で互いに接続し、所望の間仕切りを構成するようにしている。これにより、居住空間の広さや形状に関わらず、複数種類の居住空間に対して共通の間仕切りパネルを用いて、居住空間の間取り変更を容易にすることができ、例えば集合住宅の入居者が、その家族構成などの変化に合わせて間取りを変更することができる。
【図面の簡単な説明】
【００２０】
【図１】本考案に係る間仕切り構造を備えた居住空間の平面図
【図２】間仕切りパネルを取り外した居住空間の平面図
【図３】居住空間の４種類の間取りを示す斜視図
【図４】間仕切り構造の拡大平面図
【図５】図４のＡ−Ａ断面図
【図６】パネル本体の斜視図
【図７】端部調整パネルの斜視図
【図８】間仕切りパネルの接続を示す斜視図
【図９】間仕切りパネルのＴ接続を示す斜視図
【図１０】間仕切りパネルの十字接続を示す斜視図
【図１１】ドア用パネルの斜視図
【考案を実施するための形態】
【００２１】
以下、本考案に係る間仕切り構造を実施するための形態について、図面を用いて説明する。
【００２２】
図１〜図４に示すように、間仕切り構造１は、家族構成などの変化に合わせて、例えば集合住宅の居住空間２の間取り（１ルーム２ａ、Ｉ形リビング１ＬＤＫ２ｂ、２ＬＤＫ２ｃ、Ｌ形リビング１ＬＤＫ２ｄ）を変更可能とするものであり、居住空間１に設けられた間仕切りレール３と、間仕切りレール３にスライド自在に支持された複数枚の間仕切りパネル４と、間仕切りパネル４の端面同士を着脱可能に接続する第１接続手段５と、間仕切りパネル４を着脱可能にＴ接続又は十字接続する第２接続手段６と、を備えている。
【００２３】
間仕切りレール３は、居住空間２に設定した間取り２ａ、２ｂ、２ｃ、２ｄの仕切り位置の天井面及び床面に、間仕切りパネル４を案内する二条の案内溝３ａ、３ｂを形成して構成される。この間仕切りレール３は、居住空間２を略二分割する大レール３−１と、分割した一方の区画の中央に、大レール３−１と直交するように設けられた３本の小レール３−２、３−３、３−４とからなり、居住空間２を５つの区画７、８、９、１０、１１に仕切っている。なお、間仕切りレール３を形成する天井面は、鴨居や垂れ壁の下端面であってもよく、その高さに合わせて天井を配置することもできる。
【００２４】
間仕切りレール３に間仕切りパネル４を設置することにより、天井から床に至る全ての範囲で、居住空間２を区画７、８、９、１０、１１に対応する最大５つの室に仕切ることができ、間仕切りパネル４を取り外すことにより、あるいは間仕切りレール３のうちの一部又は全部に間仕切りパネル４を設置することにより、間取り２ａ、２ｂ、２ｃ、２ｄを選択することができる。さらに、間仕切りレール３の端部に端部調整パネル１２を設置することにより、間仕切りレール３の長さに合わせて間仕切りの長さを微調整することができる（図１及び図４参照）。
【００２５】
間取り２ａは、全ての間仕切りパネル４を取り外して、区画７、８、９、１０、１１に対応する１つの室２ａ−１からなる１ルームを構成したものである。なお、図３において、２−１は高さを天井よりもわずかに低く設定された移動収納庫である。
【００２６】
間取り２ｂは、大レール３−１にだけ間仕切りパネル４を取り付けて、区画７に対応するＩ形リビング２ｂ−１と、区画８、９、１０、１１に対応する１つの洋室２ｂ−２とからなるＩ形リビング１ＬＤＫを構成したものである。
【００２７】
間取り２ｃは、大レール３−１と小レール３−２、３−４に間仕切りパネル４を取り付けて、区画７に対応するＩ形リビング２ｃ−１と、区画８、１１に対応する２つの洋室２ｃ−２、２ｃ−３と、区画９、１０に対応する通り抜け可能なウォークスルークローゼット２ｃ−４とからなる２ＬＤＫを構成したものである。
【００２８】
間取り２ｄは、大レール３−１の一部と小レール３−２、３−３、３−４に間仕切りパネル４を取り付けて、区画７、１１に対応するＬ形リビング２ｄ−１と、区画８に対応する１つの洋室２ｄ−２と、区画９及び区画１０に対応する通り抜け可能な２つのウォークスルークローゼット２ｄ−３、２ｄ−４とからなるＬ形リビング１ＬＤＫを構成したものである。
【００２９】
図５に示すように、間仕切りパネル４は、長方形状のパネル本体１３の下端に例えばゴム製のローラー１４を設けた構造とされ、間仕切りレール３の案内溝３ａに沿ってスライド自在とされると共に、フランス落とし（彫込ボルト）１５によって所定の位置に固定される。また、端部調整パネル１２は、長方形状の調整パネル本体１６の下端にローラー１４を設けた構造とされ、間仕切りレール３の案内溝３ａに沿ってスライド自在とされる。
【００３０】
図６に示すように、パネル本体１３は、その板面にマグネット１７を設けると共に、端面に、深さがＤ１で上下に連続する凹溝を形成した構造とされて、その複数枚が同一寸法に設定され、さらに、別の居住空間に設ける間仕切り構造との共通化が図られている。また、図７に示すように、調整パネル本体１６は、端面に、深さがＤ１で上下に連続する凹溝を形成した構造とされ、パネル本体１３よりも長さを短く設定されている。
【００３１】
パネル本体１３及び調整パネル本体１６の凹溝には、適宜、図６又は図７に示すように、幅がＤ２（＝２・Ｄ１）で棒状の凸形状用付加部材１８、又は幅がＤ１で棒状かつ磁性体からなる面一形状用付加部材１９が嵌合され、パネル本体１３の端面に凹形状２０、凸形状２１又は面一形状２２を形成するようになっている。
【００３２】
図８に示すように、第１接続手段５は、隣接する間仕切りパネル４の凹形状２０及び凸形状２１からなり、これらを互いに嵌合させることにより、隙間なく接続するようになっている。第１接続手段５で接続された間仕切りパネル４をフランス落とし１５によって固定することにより、第１接続手段５の外れが阻止される。
【００３３】
図９及び図１０に示すように、間仕切りパネル４の面一形状２２を他の間仕切りパネル４の板面に突き当てることにより、間仕切りパネル４をＬ接続し、全体としてＴ接続や十字接続をすることができる。さらに、面一形状用付加部材１９をマグネット１７に吸着させることにより、第２接続手段６が構成される。
【００３４】
図１及び図４に示すように、間仕切りパネル４は、出入口２３となる部分を残して、間仕切りレール３の案内溝３ａに設置され、その出入口２３の案内溝３ｂにドア用パネル２４が設置される。
【００３５】
図１１に示すように、ドア用パネル２４は、パネル本体１３と同じ大きさ（幅：Ｄ３）の長方形状の板にドアキャッチ２５を設けた構造とされて、間仕切りレール３の案内溝３ｂに沿ってスライド自在とされ、出入口２３を開閉するようになっている。
【００３６】
上記構成によれば、間仕切りパネル４を間仕切りレール３の案内溝３ａに装着した後、その間仕切りパネル４をスライドさせて、端部の凹形状２０及び凸形状２１を互いに嵌合させるように、隣接する間仕切りパネル４と接続させることができる。これにより、間仕切りパネル４の接続部分に隙間が生じるのを阻止して、光が漏れることを防止することができる。
【００３７】
また、居住空間２の内部で間仕切りパネル４を互いに接続して間仕切り構造１を構成するので、適宜、端部調整パネル１２及びドア用パネル２４を組み合わせて、居住空間２の間取り２ａ、２ｂ、２ｃ、２ｄの変更を容易にすると共に、複数種類の居住空間に対して共通の間仕切りパネル４を用いることができ、間仕切り構造１の工場生産を容易にすることができる。
【００３８】
なお、本考案は、上記の実施の形態に限定されるものではなく、本発明の範囲内において、適宜変更を加えることができる。例えば、移動自在で複数枚かつ同一寸法の間仕切りパネル４を互いに着脱可能に接続して間仕切り構造１を構成するものであれば、その間仕切りパネル４を間仕切りレール３で支持するものでなくてもよい。また、間仕切りパネル４の端面に凹形状２０及び凸形状２１を形成して嵌合させる必要はない。
【００３９】
間仕切りパネル４を設置するだけで間仕切りレール３の長さに合わせることができる場合には、端部調整パネル１２を設置する必要はない。また、磁性体からなる面一形状用付加部材１９をマグネット１７に吸着させて第２接続手段６を構成する代わりに、単に、間仕切りパネル４の面一形状２２を他の間仕切りパネル４の板面に突き当てただけでＴ接続や十字接続をすることもできる。
【符号の説明】
【００４０】
１      間仕切り構造
２      居住空間
２ａ、２ｂ、２ｃ、２ｄ  間取り
３      間仕切りレール
４      間仕切りパネル
５      第１接続手段
６      第２接続手段
１２    端部調整パネル
１５    フランス落とし
１７    マグネット
２０    凹形状
２１    凸形状
２２    面一形状
２４    ドア用パネル
【図１】
0003203939.tif 000003
【図２】
0003203939.tif 000004
【図３】
0003203939.tif 000005
【図４】
0003203939.tif 000006
【図５】
0003203939.tif 000007
【図６】
0003203939.tif 000008
【図７】
0003203939.tif 000009
【図８】
0003203939.tif 000010
【図９】
0003203939.tif 000011
【図１０】
0003203939.tif 000012
【図１１】
0003203939.tif 000013